(57)【要約】【課題】  祭壇に載置される筐体に気泡管とゲル状消臭剤およびＤＣファンを内装し、悪臭を無臭化して、快適な空間を演出し、さわやかな気分で、故人の冥福と成仏を祈ることができる葬祭用灯明具を提供する。【解決手段】  交流電源に直接接続された電球１１を介して気泡を発生するように構成された気泡管２と、上面を開放した容器に充填されたゲル状消臭剤３と、該消臭剤３を蒸散させて外部に放出するＤＣファン４を同一筐体１に内装し、当該筐体１の左右側壁１ｂ、１ｃに、点灯する電球１１の熱気を自然放出する放熱口１ｂ´と、上記消臭気の放出口３ｂをそれぞれ開口すると共に、上記筐体の正面壁１ａには、気泡管２の透視窓２ａおよび消臭気の放出口３ａと、前記電球１１の入切スイッチ５とＤＣファン４の入切スイッチ６を設けた操作パネル８を配設し、かつ入切スイッチ６の入り操作で点灯するパイロットランプ７を操作パネル８に付設した。【選択図】  図１
2006055373.tif 000002
【特許請求の範囲】
【請求項１】
交流電源に直接接続された光源としての電球を介して気泡を発生するように構成された気泡管と、上面を開放した容器に充填されたゲル状消臭剤と、当該消臭剤を蒸散させて外部に放出するＤＣファンを同一筐体に内装し、当該筐体の左右側壁に、点灯する電球の熱気を自然放出する放熱口と、蒸散した消臭気の放出口をそれぞれ開口すると共に、上記筐体の正面壁には、気泡管の透視窓および上記消臭気の放出口と、前記電球の入切スイッチとＤＣファンの入切スイッチを各別に独立して設けた操作パネルを配設し、かつ当該ＤＣファンの入切スイッチを入り操作した際に点灯するパイロットランプを、上記操作パネルに付設したことを特徴とする消臭気発生機能を備えた葬祭用照明具。
【請求項２】
交流電源に直接接続された光源としての電球を介して気泡を発生するように構成された気泡管と、上面を開放した容器に充填されたゲル状消臭剤と、当該消臭剤を蒸散させて外部に放出するＤＣファンを同一筐体に内装し、当該筐体の左右側壁に、点灯する電球の熱気を自然放出する放熱口と、蒸散した消臭気の放出口をそれぞれ開口すると共に、上記筐体の正面壁には、気泡管の透視窓および上記消臭気の放出口と、前記電球とＤＣファンを同時に入切するスイッチを配設し、当該スイッチの入り操作で開始される気泡の発生により、ＤＣファンを介して蒸散した消臭気の放出作用を報知するように構成したことを特徴とする消臭気発生機能を備えた葬祭用照明具。
【発明の詳細な説明】
【技術分野】
【０００１】
本発明は、消臭気発生機能を備えた葬祭用灯明具に係り、詳しくは、筐体に気泡管とゲル状消臭剤およびこれを蒸散させて外部に放出するＤＣファンを内装し、気泡管の管内に発生しながら去来する気泡を、筐体の正面壁に開口した透視窓を介して見る人に、人の世の儚さを誘い、在りし日の故人の面影を偲ばせると共に、放出口から放出される消臭気の消臭作用により、悪臭を無臭化して快適な空間を演出し、さわやかな気分で故人の冥福と成仏を祈ることができる消臭気発生機能を備えた葬祭用灯明具に関するものである。
【背景技術】
【０００２】
葬儀や法要を営む際、死者の霊前に線香や燭火を捧げるとともに、物や花、各種の灯明具を供えて、死後の幸福を祈ることは、古くから慣例として行われている。
【０００３】
ところが、従来の灯明具には、火袋による照明を主体として構成されているもの、あるいは反射片を封入した光彩管や気泡を発生させる気泡管を主体として構成されているものであって、消臭気を発生させて、さわやかな快適空間を演出させるように構成した灯明具は皆無である。
【特許文献１】特開平３−４０３０４
【特許文献２】特開２００１−２２４４８７
【特許文献３】特開２００１−２２５５９６
【０００４】
上記特許文献１および２に記載のものは、気泡管に反射片を封入して光彩管を構成し、あるいは気泡管の背面に反射板を装着することにより、光の変化を無限に演出して、祭壇の雰囲気に適合した宗教的な光彩効果を発揮するようにしたものであり、また、特許文献３に記載のものは、火袋に電球を点灯して、特異な照明効果を発揮するようにしたものであって、消臭気を発生させるようにしたものではなかった。
【０００５】
そのため、特に家庭で営まれる葬儀や通夜などでは、線香の煙や燭火の炎から排出する一酸化炭素、あるいは遺族や縁者などの喫煙から排出するニコチンやタールなどにより室内にこれらの臭いが充満するという不具合があり、さわやかな気分で故人の冥福と成仏を祈ることができなかった。しかし、人生終焉の厳かなセレモニーという特別の環境下では、かかる不具合を甘受せざるを得ない実情があった。
【発明の開示】
【発明が解決しようとする課題】
【０００６】
本発明は、上記のような実情に鑑み、全く新しい構想に基づいて創案されたものであって、その意図するところは、グラフト重合法によって合成されたゲル状消臭剤が、悪臭のみを無害無臭に変化させる消臭効果があると同時に，抗菌性も有していることに着目して、灯明具としての気泡管と上記消臭剤およびこれを蒸散させて外部に放出するＤＣファンを筐体に内装すると共に、筐体の正面壁に気泡管の透視窓と気化消臭気の放出口を形成したことにより、気泡管の管内で発生しながら去来する気泡を見る人に、人の世の儚さを誘い、在りし日の故人の面影を偲ばせるとともに、放出口から放出される消臭気により、汚染空気の消臭を図り、もって、悪臭を無臭化して快適な空間を演出し、さわやかな気分で故人の冥福と成仏を祈り、供養の心情を十分に満たすことができる消臭気発生機能を備えた葬祭用灯明具を提供することを課題とするものである。
【課題を解決するための手段】
【０００７】
上記課題を解決するため、本発明が採用した第１の技術手段は、交流電源に直接接続された光源としての電球を介して気泡を発生するように構成された気泡管と、上面を開放した容器に充填されたゲル状消臭剤と、当該消臭剤を蒸散させて外部に放出するＤＣファンを同一筐体に内装し、当該筐体の左右側壁に、点灯する電球の熱気を自然放出する放熱口と、蒸散した消臭気の放出口をそれぞれ開口すると共に、上記筐体の正面壁には、気泡管の透視窓および上記消臭気の放出口と、前記電球の入切スイッチとＤＣファンの入切スイッチを各別に独立して設けた操作パネルを配設し、かつ当該ＤＣファンの入切スイッチを入り操作した際に点灯するパイロットランプを、上記操作パネルに付設したことを特徴とするものである。
【０００８】
本発明が採用した第２の技術手段は、交流電源に直接接続された光源としての電球を介して気泡を発生するように構成された気泡管と、上面を開放した容器に充填されたゲル状消臭剤と、当該消臭剤を蒸散させて外部に放出するＤＣファンを同一筐体に内装し、当該筐体の左右側壁に、点灯する電球の熱気を自然放出する放熱口と、蒸散した消臭気の放出口をそれぞれ開口すると共に、上記筐体の正面壁には、気泡管の透視窓および上記消臭気の放出口と、前記電球とＤＣファンを同時に入切するスイッチを配設し、当該スイッチの入り操作で開始される気泡の発生により、ＤＣファンを介して蒸散した消臭気の放出作用を報知するように構成したことを特徴とするものである。
【発明の効果】
【０００９】
したがって、本発明の第１の技術手段によれば、図示しないプラグを交流電源のコンセントに接続し、電球の入切スイッチを入り操作すると気泡管から気泡が発生する状態となり、またＤＣファンの入切スイッチを入り操作すれば、パイロットランプが点灯すると同時に、ＤＣファンが回転してゲル状消臭剤を蒸散させ，消臭気が放出口から放出されて悪臭が無臭化され、さわやかな快適空間が演出される。
【００１０】
また、第２の技術手段によれば、プラグを交流電源のコンセントに接続した後、スイッチを入れると、気泡管から気泡が発生すると同時に、消臭気が放出口から放出される。
【００１１】
叙上のことから、もともと消臭気は目に見えず、肌で感じることもできないものであるが、第１の技術手段を採用した場合には、パイロットランプが点灯している間、第２の技術手段を採用した場合には、気泡管から気泡が発生している間は、消臭気が放出口から放出して汚染空気の消臭作用を行っていることが確認できる。
【００１２】
そのうえ、透視窓から見える気泡の去来が幻想的な雰囲気を醸し出し、人生終焉の厳かなセレモニーを演出するので、これを見る人々に、故人の冥福と成仏を願う心情を誘発させ、さわやかな気分と相俟って、供養に対する満足感を与えることができる。
【００１３】
なお、第２の技術手段を採用した場合には、パイロットランプが不用となるので、部品点数を少なくすることができ、より一層コンパクトに灯明具を構成することができる。
【発明を実施するための最良の形態】
【００１４】
筐体に気泡管、ゲル状消臭剤およびこれを蒸散させて外部に放出するＤＣファンを内装し、筐体の正面壁に気泡管の透視窓と消臭気の放出口を配設して、さわやかな気分で供養ができる消臭気発生機能を備えた葬祭用灯明具を実現した。
【実施例１】
【００１５】
図１は本発明の第１実施例を示す斜視図、図２（ａ）（ｂ）（ｃ）は同上正面図および左右側面図、（ｄ）は同上背面図、図３は内部構造を示す背面図、図４（ａ）（ｂ）は同上回路図５〜図６は同上各構成部材の詳細図である。
【００１６】
図において、１は三本の気泡管２、２、２と消臭剤３およびＤＣファン４を内装した筐体であって、該筐体１の正面壁１ａには気泡管２の透視窓２ａおよび横スリット状に形成された消臭気放出口３ａ（以下、単に放出口３ａと表記する）が配設されていると共に、上記放出口３ａの上方部位には各気泡管２の入切スイッチ５（押釦式）、ＤＣファン４の入切スイッチ６（押釦式）およびパイロットランプ７を並列状に配設した操作パネル８が設けられている。なお、筐体１の左側壁１ｂには上下に位置して放熱口１ｂ´、１ｂ´が配設され、右側壁１ｃには同じく上下に位置して消臭気の放出口３ｂ、３ｂがそれぞれ配設されている。また、筐体１の形状は、図示のものに限定されるものではなく、敬虔な宗教的なイメージが表れるような形状にすることが好ましい。
【００１７】
上記気泡管２、２、２は、図６に示すように、小径の円筒状透明管体２ｂの内部に塩素系有機溶剤からなる低沸点液体を充填封入してなり、筐体１の正面壁１ａに形成した透視窓２ａに臨ませて内装されるものであって、具体的には、上記円筒状透明管体２ｂを前後および水平方向に適宜離間させて上下の支持ホルダ９ａ、９ｂ間に立姿状に支持させ、かつ大径の円筒状透明筒体１０に各支持ホルダ９ａ、９ｂを介して内装されると共に、上記各気泡管２の球面状底部２ｃは、下方に設けた後述する電球１１の頭部に臨むように配設されている。
【００１８】
上記電球１１は円盤状の電球ホルダ１２を介して交流電源に直接接続されており、前記透明筒体１０の下縁部に当該電球ホルダ１２の外周縁部を内嵌させることにより、気泡管２の球面状底部２ｃの直下に、光源としての電球１１の頭部が臨むように配設され、該電球１１を点灯させると、その熱気が上昇することにより各気泡管２内の低沸点液体が熱せられて気泡が球面状底部２ｃの全周間から発生すると共に、電球１１の光が管内を透過することによって、気泡のライトアップができるうえ、発生した気泡が上昇しながら去来するため、幻想的な雰囲気を醸し出して、人生終焉の厳かなセレモニーを演出することができるように意図されるものである。
【００１９】
また前記ゲル状消臭剤３はグラフト重合法によって合成されたもので、図３に示すように、プラスティックまたはガラス瓶のケース１３に充填され、上面を開放することにより蒸散可能なものである。そして、上面が開放されたケース１３を筐体１内に載置した際には、その上部に位置して吸気方向を上方に向けたＤＣファン４が水平状に配設されており、かつ当該ＤＣファン４の近傍に、整流回路、スイッチ回路およびランプ駆動回路を配置した回路基板１４が配設されて、各スイッチ５、６の入切操作に応じて電球１１の点灯・消灯、ＤＣファン４の回転駆動・停止およびパイロットランプ７の点灯・消灯を操作するように構成されている。なお１５は商用ＡＣ電源の変換トランス、１５ａはＡＣケーブル、１６は右側壁１ｃに設けた上位の放出口３ｂに連通するダクトであって、該ダクト１６は効率良く蒸散した消臭気を筐体１内から外部に放出する目的で設けられるものである。
【００２０】
本発明は叙上の如く構成されているから、図４（ａ）に示すように、入切スイッチ５を入り操作すると、先ず電球１１が点灯する。そして当該電球１１の熱気が上昇して各気泡管２の球面状底部２ｃが熱せられると、円筒状管体２ｂ内の低沸点液体が暖められて気泡の発生が開始されると共に、電球１１の光が管内を透過することにより、上昇する気泡がライトアップされて幻想的な雰囲気を醸し出し、人生終焉の厳かなセレモニーを演出することができる。このとき、上記電球１１で発生した熱気は、筐体１の左側壁１ｂに設けられた放熱口１ｂ´、１ｂ´から外部に自然放出されるので、長時間に亘る気泡管２、２、２の使用にも耐えうるようになっている。
【００２１】
一方、入切スイッチ６を入り操作すると、ＤＣファン４の回転駆動が開始されると同時にパイロットランプ７が点灯し、正面壁１ａの放出口３ａおよび右側壁１ｃの放出口３ｂ、３ｂから蒸散した消臭気が放出されることになる。そして、パイロットランプ７が点灯している間は、ＤＣファン４を介して上記消臭気の放出が行われていることを外部から確認できる。
【実施例２】
【００２２】
図４（ｂ）は本発明の第２実施例を示す回路図、図７は同上斜視図である。
【００２３】
第２実施例のものは、筐体１に三本の気泡管２、２、２とゲル状消臭剤（図示せず）およびＤＣファン４を内装する点については前記第１実施例と同様の構成を有するものであるが、特にスイッチ１７の操作のみで電球１１とＤＣファン４を同時に入切し、各気泡管２で開始される気泡の発生を確認することにより、ＤＣファン４を介して蒸散した消臭気の放出作用を報知できる点に特徴を有するものであり、したがって、スイッチ１７を入れると、気泡管２から気泡が発生すると同時に、放出口３ａおよび右側壁１ｃの放出口（図示せず）から上記消臭気が放出されることになる。
【００２４】
その結果、気泡管２に気泡が発生している間は、ＤＣファン４が回転駆動されて消臭気の放出も発生して消臭作用が行われていることが確認できると共に、去来する気泡を見る人に、在りし日の故人の面影を偲ばせ、さわやかな気分で故人の冥福と成仏を祈り、供養の心情を満たすことができる点では、第１実施例の場合と差異はない。
【産業上の利用可能性】
【００２５】
筐体１を室内装飾品に適する形状に形成すれば、室内の空気を消臭する置物として利用できる。
【図面の簡単な説明】
【００２６】
【図１】第１実施例の斜視図である。
【図２】（ａ）は第１実施例における筐体の正面図、（ｂ）は同上左側面図、（ｃ）は同上右側面図、（ｄ）は同上背面背面図である。
【図３】第１実施例の内部構造を示す背面図である。
【図４】（ａ）は第１実施例の回路図、（ｂ）は第２実施例の回路図である。
【図５】（ａ）は第１実施例における回路基板の平面図、（ｂ）は同上正面図、（ｃ）は変換トランスの平面図、（ｄ）は同上正面図、（ｅ）はＤＣファンの平面図、（ｆ）は同上正面図である。
【図６】（ａ）は第１実施例における支持ホルダの平面図、（ｂ）は透明筒体および支持ホルダに支持された気泡管の状態を示す断面図、（ｃ）は電球ホルダの平面図、（ｄ）は同上正面図である。
【図７】第２実施例の斜視図である。
【符号の説明】
【００２７】
１      筐体
１ａ    正面壁
１ｂ    左側壁
１ｃ    右側壁
１ｂ´  放熱口
２      気泡管
２ａ    透視窓
３      ゲル状消臭剤
３ａ    放出口
３ｂ    放出口
４      ＤＣファン
５      入切スイッチ
６      入切スイッチ
７      パイロットランプ
８      操作パネル
１１    電球
１７    スイッチ
【図１】
2006055373.tif 000003
【図２】
2006055373.tif 000004
【図３】
2006055373.tif 000005
【図４】
2006055373.tif 000006
【図５】
2006055373.tif 000007
【図６】
2006055373.tif 000008
【図７】
2006055373.tif 000009